(57)【要約】【課題】データ信号の書き込み時間を確保しつつ、プリチャージ信号を供給可能とする。【解決手段】第１単位期間において第１走査線を選択し、第２単位期間において第２走査線を選択し、第３単位期間において第１走査線を選択し、第４単位期間において第２走査線を選択する走査線駆動回路と、第１走査線と第１データ線との交差に対応する第１画素、第１走査線と第２データ線との交差に対応する第２画素、第２走査線と第１データ線との交差に対応する第３画素、及び第２走査線と第２データ線との交差に対応する第４画素の各々に、当該画素が表示すべき階調レベルを指定するデータ信号を供給するデータ信号供給回路と、第１単位期間及び第４単位期間において、第２データ線にプリチャージ信号を供給し、第２単位期間及び第３単位期間において、第１データ線にプリチャージ信号を供給するプリチャージ回路と、を備えることを特徴とする制御回路。【選択図】図１
2019078774.tif 000002
【特許請求の範囲】
【請求項１】
第１単位期間において第１走査線を選択し、第２単位期間において第２走査線を選択し、第３単位期間において前記第１走査線を選択し、第４単位期間において前記第２走査線を選択する走査線駆動回路と、
前記第１走査線と第１データ線との交差に対応する第１画素、前記第１走査線と第２データ線との交差に対応する第２画素、前記第２走査線と前記第１データ線との交差に対応する第３画素、及び前記第２走査線と前記第２データ線との交差に対応する第４画素の各々に、当該画素が表示すべき階調レベルを指定するデータ信号を供給するデータ信号供給回路と、
前記第１単位期間及び前記第４単位期間において、前記第２データ線に所定の電位を有するプリチャージ信号を供給し、前記第２単位期間及び前記第３単位期間において、前記第１データ線に前記プリチャージ信号を供給するプリチャージ回路と、
を備えることを特徴とする制御回路。
【請求項２】
前記第１単位期間及び前記第２単位期間は、第１の画像を表示するための第１フィールド期間に含まれ、
前記第３単位期間及び前記第４単位期間は、第２の画像を表示するための第２フィールド期間に含まれる、
ことを特徴とする請求項１に記載の制御回路。
【請求項３】
前記第１単位期間及び前記第２単位期間は、第１の画像を表示するための第１フィールド期間に含まれ、
前記第３単位期間は、第２の画像を表示するための第２フィールド期間に含まれ、
前記第４単位期間は、第３の画像を表示するための第３フィールド期間に含まれる、
ことを特徴とする請求項１に記載の制御回路。
【請求項４】
前記第１フィールド期間と前記第２フィールド期間は、１／１２０秒以下の時間長を有する、
ことを特徴とする請求項２に記載の制御回路。
【請求項５】
前記第１データ線及び前記第２データ線を含む複数のデータ線のうち、前記第１データ線と前記第２データ線とは互いに隣り合う、
ことを特徴とする請求項１に記載の制御回路。
【請求項６】
前記第１走査線及び前記第２走査線を含む複数の走査線のうち、前記第１走査線と前記第２走査線とは互いに隣り合う、
ことを特徴とする請求項５に記載の制御回路。
【請求項７】
複数の画素を備える表示部を制御する制御回路であって、
１つの画像を表示するためのフィールド期間において、前記複数の画素の各々に当該画素が表示すべき階調レベルを指定するデータ信号を供給するデータ信号供給回路と、
Ｐ個（Ｐは２≦Ｐを満たす整数）のフィールド期間において、前記複数の画素の各々に、所定の電位を有するプリチャージ信号をＱ回（Ｑは１≦Ｑ＜Ｐを満たす整数）ずつ供給するプリチャージ回路と、
を備えることを特徴とする制御回路。
【請求項８】
請求項１から７のいずれかに記載の制御回路を備える電気光学装置。
【請求項９】
請求項１から７のいずれかに記載の制御回路を備える電子機器。
【発明の詳細な説明】
【技術分野】
【０００１】
本発明は制御回路、電気光学装置、及び、電子機器に関する。
【背景技術】
【０００２】
複数の信号線を介して複数の画素にデータ信号を書き込み、書き込まれたデータ信号に応じた階調レベルを各画素に表示させる制御回路を有する電気光学装置が従来から提案されている。このような電気光学装置において、表示品質を高めるために各信号線に所定の電位を有するプリチャージ信号を供給することがある（例えば、特許文献１）。
【先行技術文献】
【特許文献】
【０００３】
【特許文献１】特開２０１２−５３４０７号公報
【発明の概要】
【発明が解決しようとする課題】
【０００４】
しかし、複数の信号線の各々について、データ信号の画素への書き込みに先立ってプリチャージ信号を供給する場合、データ信号の書き込み時間が短くなることがあった。
本発明は上述した事情に鑑みてなされたものであり、データ信号の書き込み時間を確保しつつ、プリチャージ信号を供給可能とする技術を提供することを、解決課題の一つとする。
【課題を解決するための手段】
【０００５】
以上の課題を解決するために、本発明に係る制御回路の一態様は、第１単位期間において第１走査線を選択し、第２単位期間において第２走査線を選択し、第３単位期間において第１走査線を選択し、第４単位期間において第２走査線を選択する走査線駆動回路と、第１走査線と第１データ線との交差に対応する第１画素、第１走査線と第２データ線との交差に対応する第２画素、第２走査線と第１データ線との交差に対応する第３画素、及び第２走査線と第２データ線との交差に対応する第４画素の各々に、当該画素が表示すべき階調レベルを指定するデータ信号を供給するデータ信号供給回路と、第１単位期間及び第４単位期間において、第２データ線に所定の電位を有するプリチャージ信号を供給し、第２単位期間及び第３単位期間において、第１データ線にプリチャージ信号を供給するプリチャージ回路と、を備えることを特徴とする。
この制御回路の一態様では、各単位期間において、第１データ線及び第２データ線の各々にプリチャージ信号を供給する場合と比較して、データ信号の書き込み時間を長く確保できる。したがって、本態様によれば、データ信号の書き込み時間を確保しつつ、プリチャージ信号を供給可能となる。さらに、本態様によれば、第１から第４単位期間にわたって、第１データ線及び第２データ線に均一にプリチャージ信号が供給され得る。
【０００６】
上述の一態様に係る制御回路において、第１単位期間及び第２単位期間は、第１の画像を表示するための第１フィールド期間に含まれ、第３単位期間及び第４単位期間は、第２の画像を表示するための第２フィールド期間に含まれてもよい。ここで、第１の画像と第２の画像とは、同じでもよいし異なってもよい。この態様によれば、２つのフィールド期間にわたって、第１データ線及び第２データ線に均一にプリチャージ信号が供給され得る。
また、第１フィールド期間と第２フィールド期間は、１／１２０秒以下の時間長を有してもよい。この態様によれば、２つのデータ線に均一にプリチャージ信号が供給される周期が１／６０秒未満となるため、このような周期が１／６０秒以上である場合と比較して、プリチャージ信号の供給の有無により生じ得るちらつきが利用者に視認されにくくなる。
【０００７】
上述の一態様に係る制御回路において、第１単位期間及び第２単位期間は、第１の画像を表示するための第１フィールド期間に含まれ、第３単位期間は、第２の画像を表示するための第２フィールド期間に含まれ、第４単位期間は、第３の画像を表示するための第３フィールド期間に含まれてもよい。ここで、第１の画像、第２の画像、及び第３の画像は、同じでもよいし、互いに異なっていてもよいし、一部のみが互いに異なっていてもよい。
この態様によれば、３つのフィールド期間にわたって、第１データ線及び第２データ線に均一にプリチャージ信号が供給され得る。
【０００８】
上述の一態様に係る制御回路において、第１データ線及び第２データ線を含む複数のデータ線のうち、第１データ線と第２データ線とは互いに隣り合うことを特徴としてもよい。この態様によれば、データ信号の書き込み時間を確保しつつ、プリチャージ信号を供給可能となる。
また、本態様において、第１走査線及び第２走査線を含む複数の走査線のうち、第１走査線と第２走査線とは互いに隣り合うことを特徴としてもよい。この態様によれば、データ信号の書き込み時間を確保しつつ、プリチャージ信号を供給可能となる。
【０００９】
本発明の別の一態様に係る制御回路は、複数の画素を備える表示部を制御する制御回路であって、１つの画面を表示するためのフィールド期間において、複数の画素の各々に当該画素が表示すべき階調レベルを指定するデータ信号を供給するデータ信号供給回路と、Ｐ個（Ｐは２以上の整数）のフィールド期間において、複数の画素の各々に、所定の電位を有するプリチャージ信号をＱ回（Ｑは２≦Ｑ＜Ｐを満たす整数）ずつ供給するプリチャージ回路と、を備えることを特徴とする。
本態様によれば、Ｐ個のフィールド期間において、各画素にＰ回ずつプリチャージ信号を供給する場合と比較して、データ信号の書き込み時間を長く確保できる。したがって、本態様によれば、データ信号の書き込み時間を確保しつつ、プリチャージ信号を供給可能となる。さらに、本態様によれば、Ｐ個のフィールド期間にわたって、複数の画素の各々に均一にプリチャージ信号が供給され得る。
【００１０】
上述の一態様に係る制御回路において、Ｐは２の倍数であり、プリチャージ回路は、複数の画素の各々について、１フィールド期間おきにプリチャージ信号を供給してもよい。例えば、プリチャージ回路は、４個のフィールド期間において、複数の画素の各々に２回ずつプリチャージ信号を供給し、各フィールド期間は、１／２４０秒の時間長を有してもよい。または、上述の一態様に係る制御回路において、プリチャージ回路は、４個のフィールド期間において、複数の画素の各々に３回ずつプリチャージ信号を供給し、各フィールド期間は、１／２４０秒の時間長を有してもよい。
【００１１】
本発明は、上述したいずれかの態様の制御回路が実行する制御方法としても、当該制御回路を備える電気光学装置または電子機器としても理解され得る。このような電子機器の例としては、例えば、投射型表示装置（例えばプロジェクター）、パーソナルコンピューター、及びスマートフォンが該当する。
【図面の簡単な説明】
【００１２】
【図１】本発明の実施形態に係る電気光学装置のブロック図である。
【図２】画素回路の回路図である。
【図３】データ信号供給回路の説明図である。
【図４】プリチャージ回路の説明図である。
【図５】実施形態に係る電気光学装置の動作期間を説明するためのタイミングチャートである。
【図６】実施形態に係る電気光学装置の動作を説明するためのタイミングチャートである。
【図７】実施形態における、プリチャージ信号の各画素への供給の有無を示す図である。
【図８】対比例における、プリチャージ信号の各画素への供給の有無を示す図である。
【図９】変形例１における、プリチャージ信号の各画素への供給の有無を示す図である。
【図１０】変形例１に係る電気光学装置の動作を説明するためのタイミングチャートである。
【図１１】変形例２における、プリチャージ信号の各画素への供給の有無を示す図である。
【図１２】変形例２に係る電気光学装置の動作を説明するためのタイミングチャートである。
【図１３】変形例３に係る電気光学装置の動作を説明するためのタイミングチャートである。
【図１４】変形例３に係る電気光学装置の動作を説明するためのタイミングチャートである。
【図１５】変形例３における、プリチャージ信号の各画素への供給の有無を示す図である。
【図１６】電子機器の一例（パーソナルコンピューター）を示す斜視図である。
【図１７】電子機器の一例（携帯電話機）を示す斜視図である。
【図１８】電子機器の一例（投射型表示装置）を示す斜視図である。
【発明を実施するための形態】
【００１３】
以下、本発明を実施するための形態について図面を参照して説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１４】
１．実施形態
１．１．電気光学装置１０の構成の概要
図１は、本発明の実施形態に係る電気光学装置１０のブロック図である。電気光学装置１０は、画像を表示させる表示装置として様々な電子機器に搭載される液晶装置である。図１に示すように、電気光学装置１０は、複数の画素Ｐｘを備える表示部３０と、各画素Ｐｘを駆動する駆動回路２０（「制御回路」の一例）と、駆動回路２０を制御する表示制御回路５０と、を備える。
図１に示すように、表示部３０には、V方向に延在するＭ本の走査線３２と、V方向に交差するVI方向に延在するＮ本のデータ線３４とが形成される（Ｍ及びＮは２以上の整数）。図１に示すように、表示部３０に設けられたＮ本のデータ線３４は、Ｇ個の配線群ＬＦ（ＬＦ1〜ＬＦG）を含み、各配線群ＬＦは、Ｒ本のデータ線３４を含む（Ｇは１以上の整数。Ｒは２以上の整数）。本実施形態では、Ｒが４である場合を例示して説明する。複数の画素Ｐｘは、走査線３２とデータ線３４との交差に対応して縦Ｍ行×横Ｎ列に配列される。なお、本実施形態において、Ｍ×Ｎ個の交差の全てに対応して画素Ｐｘが設けられる場合を例示して説明するが、Ｍ×Ｎ個の交差の一部に設けられてもよい。
【００１５】
表示制御回路５０は、上位回路（図示略）から供給された画像データＶｉｎ及び同期信号に基づき、駆動回路２０を制御する制御信号Ｃｔを生成して駆動回路２０に供給する。画像データＶｉｎとは、例えば、各画素Ｐｘが表示すべき階調レベルを規定するデータである。表示制御回路５０が生成する制御信号Ｃｔには、フィールド期間Ｌを規定する垂直同期信号Ｖsyncと、水平走査期間Ｈを規定する水平同期信号Ｈsyncと、各画素Ｐｘの階調レベルを指定する画像信号Ｖｉｄと、後述される各種の選択信号と、が含まれる。
【００１６】
駆動回路２０は、制御信号Ｃｔに応じて表示部３０を制御する。より正確には、駆動回路２０は、各画素Ｐｘが画像信号Ｖｉｄに応じた階調レベルを表示するよう各画素Ｐｘを駆動する。駆動回路２０は、走査線駆動回路２２と、データ信号供給回路２４と、プリチャージ回路２６と、を具備する。
走査線駆動回路２２は、第１行〜第Ｍ行の走査線３２に走査信号Ｙ1〜ＹMを供給する。より具体的には、走査線駆動回路２２は、第ｍ行の走査線３２に走査信号Ｙmを供給する（ｍは、１≦ｍ≦Ｍを満たす整数）。走査線駆動回路２２は、走査信号Ｙ1〜ＹMを所定の選択電位Ｖswに順次に設定することで、Ｍ本の走査線３２を順次に選択する。例えば、走査線駆動回路２２は、走査信号Ｙmに選択電位Ｖswを設定することにより、第ｍ行の走査線３２を選択する。
【００１７】
データ信号供給回路２４は、各データ線３４を介して、当該データ線３４に対応する画素Ｐｘにデータ信号ＶＤを供給する。データ信号供給回路２４は、Ｇ個の配線群ＬＦ1〜ＬＦGと１対１に対応するＧ個のデマルチプレクサーＭＤ（ＭＤ1〜ＭＤG）と、表示制御回路５０から供給された画像信号Ｖｉｄに基づいてＧ系統のデータ信号ＶＤ（ＶＤ1〜ＶＤG）を生成するデータ信号生成回路２４２と、を備える。図１に示すように、Ｇ個のデマルチプレクサーＭＤ1〜ＭＤGの各々とデータ信号生成回路２４２とは信号線２４０で接続される。データ信号供給回路２４は、ｇ番目のデマルチプレクサーＭＤgに対応する配線群ＬＦgに含まれるＲ本（本実施形態では４本）のデータ線３４に、時分割でデータ信号ＶＤgを供給する（ｇは、１≦ｇ≦Ｇを満たす整数）。
プリチャージ回路２６は、データ線３４に所定の電位を有するプリチャージ信号ＶＰを供給する。プリチャージ回路２６は、Ｇ個の配線群ＬＦ1〜ＬＦGと１対１に対応するＧ個のデマルチプレクサーＭＰ（ＭＰ1〜ＭＰG）を備える。
【００１８】
１．２．電気光学装置１０の構成の詳細
図２は、各画素Ｐｘに対応する画素回路４０の回路図である。図２に示すように、各画素回路４０は、液晶素子ＣＬと、画素スイッチＳｗｃと、容量Ｃｏと、を含む。液晶素子ＣＬは、画素電極４１と、共通電極４２と、画素電極４１及び共通電極４２の間に設けられた液晶４３と、を具備する電気光学素子である。液晶素子ＣＬに（すなわち、画素電極４１及び共通電極４２の間に）電圧が印加されると、印加された電圧の大きさに応じて液晶素子ＣＬの透過率が変化する。各画素Ｐｘは、対応する液晶素子ＣＬの透過率に応じた階調レベルを表示する。
なお、本実施形態では、液晶素子ＣＬに電圧が印加されていない状態において、画素Ｐｘが黒表示（液晶素子ＣＬの透過率が０％）となるノーマリーブラックモードである場合を例示して説明する。
【００１９】
共通電極４２は、一定の電位Ｖcomに保たれた容量線３６に電気的に接続される。容量Ｃｏは、一端が容量線３６に電気的に接続され、他端が画素電極４１に電気的に接続される。
画素スイッチＳｗｃは、例えばＮチャネル型のトランジスターであり、画素電極４１とデータ線３４との間に設けられ、両者の電気的な接続（導通または非導通）を制御する。具体的には、画素スイッチＳｗｃのゲートは走査線３２と電気的に接続される。そして、第ｍ行の走査線３２に供給される走査信号Ｙmが選択電位Ｖswに設定されると、第ｍ行の走査線３２に対応する各画素Ｐｘの画素回路４０に設けられた画素スイッチＳｗｃがオン状態となる。画素スイッチＳｗｃがオン状態となると、画素電極４１とデータ線３４とが導通し、画素電極４１における電位がデータ線３４に供給されるデータ信号ＶＤに応じた電位となる。結果として、液晶４３には当該データ信号ＶＤに応じた電圧が印加される。このようにして、画素回路４０の液晶素子ＣＬの透過率はデータ信号ＶＤに応じて変化し、当該画素回路４０に対応する画素Ｐｘは、データ信号ＶＤに応じた階調レベルを表示する。なお、本明細書において、画素電極４１にデータ信号ＶＤが供給されることを、画素Ｐｘにデータ信号ＶＤが書き込まれると表現する場合がある。
【００２０】
図３は、データ信号供給回路２４を説明するための図である。図示の便宜上、図３では、データ信号供給回路２４が備えるＧ個のデマルチプレクサーＭＤ1〜ＭＤGのうち、ｇ番目のデマルチプレクサーＭＤgの構成例を示す。図３に示されるように、データ信号供給回路２４には、選択信号Ｓｄ1〜ＳｄRが供給されるＲ本の給電線ＬＤ（ＬＤ1〜ＬＤR）が配されている。データ信号供給回路２４は、ｒ番目の給電線ＬＤrに選択信号Ｓｄrを供給する（ｒは１≦ｒ≦Ｒを満たす整数）。選択信号Ｓｄ1〜ＳｄRは、表示制御回路５０から供給される制御信号Ｃｔに含まれる信号である。表示制御回路５０は、選択信号Ｓｄ1〜ＳｄRに、順次に所定の選択電位Ｖsdを設定する。上述のように、本実施形態においては、Ｒが４である場合を例示する。
【００２１】
デマルチプレクサーＭＤgは、配線群ＬＦgに含まれるＲ本（４本）のデータ線３４（３４ｇと称する）と１対１に対応するＲ個のデータスイッチＷＤ（ＷＤ1〜ＷＤR）を含む。Ｒ個のデータスイッチＷＤの各々は、画素回路４０の画素スイッチＳｗｃと同様に、例えばＮチャネル型のトランジスターである。Ｒ個のデータスイッチＷＤのうちのｒ番目のデータスイッチＷＤrは、Ｒ本のデータ線３４ｇのうちのｒ番目のデータ線３４ｇ（３４ｇrと称する）と、デマルチプレクサーＭＤgに対応する信号線２４０との間に設けられ、両者の電気的な接続（導通または非導通）を制御する。具体的には、データスイッチＷＤrのゲートはｒ番目の給電線ＬＤrと電気的に接続される。そして、給電線ＬＤrに供給される選択信号Ｓｄrが選択電位Ｖsdに設定されると、データスイッチＷＤrがオン状態となる。デマルチプレクサーＭＤgが有するデータスイッチＷＤrがオン状態となると、データ線３４ｇrと信号線２４０とが導通し、データ線３４ｇrにはデータ信号ＶＤgが供給される。このように、選択信号Ｓｄrが選択電位Ｖsdに設定されると、Ｇ個のデマルチプレクサーＭＤ1〜ＭＤGの各々におけるｒ番目のデータスイッチＷＤrがオン状態となる。
上述のように、デマルチプレクサーＭＤgが有するＲ個のデータスイッチＷＤは順次にオン状態となるため、データ信号供給回路２４は、Ｒ本のデータ線３４ｇ1〜３４ｇRの各々に時分割でデータ信号ＶＤgを供給することとなる。以下では、データスイッチＷＤrがオン状態である場合にデータ線３４ｇrに供給されるデータ信号ＶＤgを、データ信号ＶＤgrと称する。データ信号ＶＤgrは、データ線３４ｇrと、選択されている走査線３２との交差に対応する画素Ｐｘが表示すべき階調レベルを指定する信号である。
なお、図３に示すように、本実施形態において、Ｒ本のデータ線３４ｇのうち、データ線３４ｇrとデータ線３４ｇ(r+1)とは互いに隣り合うものとする。
【００２２】
図４は、プリチャージ回路２６を説明するための図である。図示の便宜上、図４では、プリチャージ回路２６が備えるＧ個のデマルチプレクサーＭＰ1〜ＭＰGのうち、ｇ番目のデマルチプレクサーＭＰgの構成例を示す。図４に示すように、デマルチプレクサーＭＰgは、Ｒ個のプリチャージスイッチＷＰ（ＷＰ1〜ＷＰR）を含む。また、プリチャージ回路２６には、プリチャージ信号ＶＰが供給される給電線ＬＮと、選択信号Ｓｐ1〜ＳｐRが供給されるＲ本の給電線ＬＰ（ＬＰ1〜ＬＰR）と、が配されている。プリチャージ信号ＶＰ及び選択信号Ｓｐ1〜ＳｐRは、表示制御回路５０から供給される制御信号Ｃｔに含まれる信号である。
【００２３】
デマルチプレクサーＭＰgが有するＲ個のプリチャージスイッチＷＰ1〜ＷＰRは、配線群ＬＦgに含まれるＲ本のデータ線３４ｇ1〜３４ｇRと１対１に対応するよう設けられる。Ｒ個のプリチャージスイッチＷＰの各々は、例えばＮチャネル型のトランジスターである。Ｒ個のプリチャージスイッチＷＰのうちｒ番目のプリチャージスイッチＷＰrは、データ線３４ｇrと給電線ＬＮと間に設けられ、両者の電気的な接続（導通または非導通）を制御する。具体的には、プリチャージスイッチＷＰrのゲートは給電線ＬＰrと電気的に接続される。そして、給電線ＬＰrに供給される選択信号Ｓｐrが、表示制御回路５０により所定の選択電位Ｖspに設定されると、プリチャージスイッチＷＰrがオン状態となる。デマルチプレクサーＭＰgが有するプリチャージスイッチＷＰrがオン状態となると、データ線３４ｇrと給電線ＬＮとが導通し、データ線３４ｇrにはプリチャージ信号ＶＰが供給される。
このように、選択信号Ｓｐrが選択電位Ｖspに設定されると、Ｇ個のデマルチプレクサーＭＰ1〜ＭＰGの各々におけるｒ番目のプリチャージスイッチＷＰrがオン状態となる。
【００２４】
１．３．電気光学装置１０の動作
図５は、電気光学装置１０の動作期間を説明するためのタイミングチャートである。本実施形態において、電気光学装置１０の動作期間は複数のフレーム期間Ｆを含み、各フレーム期間は垂直同期信号ＶsyncによりＺ個のフィールド期間Ｌ（Ｌ1〜ＬZ）に区分される（Ｚは２≦Ｚを満たす整数）。各フィールド期間Ｌは、水平同期信号ＨsyncによりＭ個の水平走査期間Ｈ（Ｈ1〜ＨM）に区分される。本実施形態において、フレーム期間Ｆとは例えば１／６０秒に略等しい時間長を有する期間である。また、本実施形態では、各フレーム期間Ｆが４個のフィールド期間Ｌを含む場合（すなわち、Ｚ＝４）を例示して説明する。したがって、本実施形態において、各フィールド期間Ｌは１／２４０秒に略等しい時間長を有する。本実施形態において、各フィールド期間Ｌは、１つの画像を表示するための期間である。各フレーム期間Ｆが含む複数のフィールド期間Ｌは、同じ画像を表示してもよいし、互いに異なる画像を表示してもよい。
なお、本明細書において「略等しい」とは、完全に等しい場合の他に、設計上は等しいが、例えば電気光学装置１０の製造誤差に起因して発生する誤差を考慮すれば等しいとみなせる場合を含む概念である。
【００２５】
図５に示すように、走査線駆動回路２２は、各フィールド期間Ｌに含まれるＭ個の水平走査期間Ｈのうち、ｍ番目の水平走査期間Ｈmにおいて、第ｍ行の走査線３２を選択する。より具体的には、走査線駆動回路２２は、水平走査期間Ｈmにおいて、第ｍ行の走査線３２に供給する走査信号Ｙmを選択電位Ｖswに設定し、走査信号Ｙm以外の走査信号Ｙ1〜Ｙm-1及びＹm+1〜ＹMを選択電位Ｖswとは異なる非選択電位に設定する。なお、本実施形態では選択電位Ｖswが非選択電位よりも高い場合を想定するが、選択電位Ｖswが非選択電位より低くてもよい。
走査線駆動回路２２が第ｍ行の走査線３２を選択すると、第ｍ行に配列されたＮ個の画素Ｐｘの各々が有する画素スイッチＳｗｃがオン状態となり、当該Ｎ個の画素Ｐｘの各々の液晶素子ＣＬには対応するデータ線３４の電位に応じた電圧が印加される。このようにして、第ｍ行に配列された各画素Ｐｘは、対応するデータ線３４の電位に応じた階調レベルを表示する。データ信号供給回路２４及びプリチャージ回路２６は、走査線駆動回路２２による走査線３２の選択に同期して、Ｎ本のデータ線３４の各々の電位を制御する。
なお、以下では、水平走査期間Ｈmにおいて走査線駆動回路２２により選択される走査線３２を、走査線３２_mと称する場合がある。また、本実施形態では、Ｍ本の走査線３２のうち、走査線３２_mと、走査線３２_m+1とは互いに隣り合うものとする。
【００２６】
次に、図６及び図７を参照して、本実施形態に係る電気光学装置１０の動作について説明する。図６は、電気光学装置１０の動作の一例を説明するためのタイミングチャートである。図７は、図６に示すタイミングチャートにしたがって電気光学装置１０が動作した場合の、プリチャージ信号ＶＰの各画素Ｐｘへの供給の有無を説明するための図である。
【００２７】
本実施形態において、プリチャージ回路２６は、Ｐ個のフィールド期間Ｌにおいて、表示部３０に設けられた複数の画素Ｐｘの各々に、データ線３４を介してプリチャージ信号ＶＰをＱ回ずつ供給する（Ｐは、２≦Ｐを満たす整数。Ｑは、１≦Ｑ＜Ｐを満たす整数）。本実施形態では、Ｐ＝２、Ｑ＝１の場合を例示して説明する。すなわち、本実施形態において、表示部３０に設けられた各画素Ｐｘについて、プリチャージ信号ＶＰが供給されるか否かがフィールド期間Ｌごとに切り替わり、１フィールド期間Ｌおきにプリチャージ信号ＶＰが供給される。換言すると、プリチャージ回路２６は、２個（Ｐ個）のフィールド期間Ｌのうちの一のフィールド期間Ｌ（Ｌｘと称する）において、表示部３０が備える複数の画素Ｐｘのうちの一部の画素Ｐｘにプリチャージ信号ＶＰを供給し、他のフィールド期間Ｌ（Ｌｙと称する）において、残りの画素Ｐｘ（フィールド期間Ｌｘにおいてプリチャージされなかった画素Ｐｘ）にプリチャージ信号を供給する。
【００２８】
図６及び図７に示すように、説明の便宜上、本実施形態では各フィールド期間Ｌが４個の水平走査期間Ｈ1〜Ｈ4を含む場合を想定する（すなわち、Ｍ＝４）。また、図６及び図７では、説明の便宜上、一の配線群ＬＦgに含まれるＲ本（本実施形態では４本）のデータ線３４ｇ（３４ｇ1、３４ｇ2、３４ｇ3、及び３４ｇ4）、並びに、Ｒ本のデータ線３４ｇとＭ本の走査線３２との交差に対応するＢ個（Ｂ＝Ｒ×Ｍ）の画素Ｐｘに着目して説明する。図６及び図７に示す例において、プリチャージ回路２６は、フィールド期間ＬｘにおいてＢ個の画素Ｐｘのうちのｂ個（ｂは、ｂ＜Ｂを満たす整数）の画素Ｐｘにプリチャージ信号ＶＰを供給し、フィールド期間Ｌｙにおいて、フィールド期間Ｌｘにおいてプリチャージされなかった（Ｂ−ｂ）個の画素Ｐｘにプリチャージ信号ＶＰを供給する。図６及び図７の例では、Ｂ＝１６、ｂ＝８の場合を想定する。
以下では、水平走査期間Ｈmにおいて走査線駆動回路２２により選択された走査線３２_mと、データ線３４ｇrと、の交差に対応して設けられる画素Ｐｘを、画素Ｐｘmrと称する場合がある。
【００２９】
本実施形態に係るプリチャージ回路２６は、フィールド期間Ｌｘの奇数番目の水平走査期間Ｈにおいて、配線群ＬＦgに含まれるＲ本のデータ線３４ｇのうち、偶数番目のデータ線３４ｇ（３４ｇＥと称する）にプリチャージ信号ＶＰを供給し、フィールド期間Ｌｘの偶数番目の水平走査期間Ｈにおいて、Ｒ本のデータ線３４ｇのうち、奇数番目のデータ線３４ｇ（３４ｇＯと称する）にプリチャージ信号ＶＰを供給する。
図６の例においては、フィールド期間Ｌ1がフィールド期間Ｌｘの例であり、データ線３４ｇ1及び３４ｇ3がデータ線３４ｇＯであり、データ線３４ｇ2及び３４ｇ4がデータ線３４ｇＥである。すなわち、図６に示すように、フィールド期間Ｌ1の奇数番目の水平走査期間Ｈ1及びＨ3において、選択信号Ｓｐ2及びＳｐ4が選択電位Ｖspに設定され、プリチャージ回路２６はデータ線３４ｇ2及び３４ｇ4（すなわち、データ線３４ｇＥ）にプリチャージ信号ＶＰを供給する。また、フィールド期間Ｌ1の偶数番目の水平走査期間Ｈ2及びＨ4において、選択信号Ｓｐ1及びＳｐ3が選択電位Ｖspに設定され、プリチャージ回路２６はデータ線３４ｇ1及び３４ｇ3（すなわち、データ線３４ｇＯ）にプリチャージ信号ＶＰを供給する。
【００３０】
また、プリチャージ回路２６は、フィールド期間Ｌｙの奇数番目の水平走査期間Ｈにおいて、データ線ｇＯにプリチャージ信号ＶＰを供給し、フィールド期間Ｌｙの偶数番目の水平走査期間Ｈにおいて、データ線ｇＥにプリチャージ信号ＶＰを供給する。
図６の例においては、フィールド期間Ｌ2がフィールド期間Ｌｙの例である。図６に示すように、フィールド期間Ｌ2の奇数番目の水平走査期間Ｈ1及びＨ3において、選択信号Ｓｐ1及びＳｐ3が選択電位Ｖspに設定され、プリチャージ回路２６はデータ線３４ｇ1及び３４ｇ3（すなわち、データ線３４ｇＯ）にプリチャージ信号ＶＰを供給する。また、フィールド期間Ｌ2の偶数番目の水平走査期間Ｈ2及びＨ4において、選択信号Ｓｐ2及びＳｐ4が選択電位Ｖspに設定され、プリチャージ回路２６はデータ線３４ｇ2及び３４ｇ4（すなわち、データ線３４ｇＥ）にプリチャージ信号ＶＰを供給する。
【００３１】
各フレーム期間Ｆにおいて、フィールド期間Ｌｘ及びＬｙは交互に繰り返される。例えば、本実施形態においては、各フレーム期間Ｆが４つのフィールド期間Ｌを含む（Ｚ＝４）と想定するため、各フレーム期間Ｆにおいてフィールド期間ＬｘとＬｙとが交互に２回ずつ繰り返される。
なお、以上ではフィールド期間Ｌｘ（例えばＬ1）がフィールド期間Ｌｙ（例えばＬ2）に先行する場合を例示したが、フィールド期間Ｌｘはフィールド期間Ｌｙに後続してもよい。
【００３２】
データ信号供給回路２４は、各フィールド期間Ｌの水平走査期間Ｈmにおいて、配線群ＬＦgに含まれるＲ本（４本）のデータ線３４ｇに対応する画素Ｐｘm1〜Ｐｘm4にデータ信号ＶＤを供給する。具体的には、図６の例において、データ信号供給回路２４は、選択信号Ｓｄrが選択電位Ｖsdに設定されると、データ線３４ｇrを介して画素Ｐｘmrにデータ信号ＶＤgrを供給する。
【００３３】
なお、図６に示すように、各水平走査期間Ｈにおいて、プリチャージ信号ＶＰが供給されるデータ線３４ｇには、プリチャージ信号ＶＰが供給された後にデータ信号ＶＤが供給される。また、本実施形態では、各水平走査期間Ｈにおいて、一のデータ線３４ｇに供給されるプリチャージ信号ＶＰは、他のデータ線３４ｇにデータ信号ＶＤが供給されている期間において供給される場合を例示する。
より具体的には、図６に示すように、本実施形態において各水平走査期間ＨはＲ個の供給期間Ｔｍ（Ｔｍ１〜ＴｍＲ）を含む。データ信号供給回路２４は、各供給期間Ｔｍにおいて、一のデータ線３４ｇにデータ信号ＶＤgを供給する。本実施形態では、一例として、プリチャージ回路２６が供給期間Ｔｍｘ（ｘは１≦ｘ＜Ｒを満たす整数）において一のデータ線３４ｇにプリチャージ信号ＶＰを供給する場合、データ信号供給回路２４は供給期間Ｔｍ（ｘ＋１）において当該一のデータ線３４ｇにデータ信号ＶＤgを供給する場合を想定する。
なお、図６では、一のデータ線３４ｇにプリチャージ信号ＶＰが供給される期間の開始時刻及び終了時刻が、他のデータ線３４ｇにデータ信号ＶＤが供給される期間の開始時刻及び終了時刻とそれぞれ同じである例を示すが、互いに異なっていてもよい。例えば、プリチャージ信号ＶＰが供給される期間の時間長は、データ信号ＶＤが供給される期間の時間長よりも短く設定されてもよい。
【００３４】
図７に、Ｒ本のデータ線３４ｇとＭ本の走査線３２とに対応するＢ個の画素Ｐｘを示す。図７に示すように、各フィールド期間Ｌにおいて、Ｂ個の画素Ｐｘは、プリチャージ信号ＶＰが供給される画素Ｐｘ（ＰｘＫと称する）と供給されない画素Ｐｘ（ＰｘＮと称する）とに区分される。図７では、画素ＰｘＫをハッチングにて示す。図７に示すように、フィールド期間Ｌｘ（Ｌ1）においては、Ｂ個（１６個）の画素Ｐｘのうちｂ個（８個）の画素Ｐｘが画素ＰｘＫである。一方で、フィールド期間Ｌｙ（Ｌ2）においては、フィールド期間Ｌ1においては画素ＰｘＮであった（Ｂ−ｂ）個（８個）の画素Ｐｘが画素ＰｘＫである。
【００３５】
図７及び図６を参照した以上の説明から理解されるように、本実施形態においては、各フィールド期間Ｌにおいて、画素ＰｘＫと画素ＰｘＮとが市松模様状に配置される。換言すると、各フィールド期間Ｌにおいて、V方向にて画素ＰｘＫと画素ＰｘＮとが交互に配置されるとともに、VI方向にて画素ＰｘＫと画素ＰｘＮとが交互に配置される。
また、本実施形態では、フィールド期間ＬｘとＬｙとで、各画素Ｐｘが、画素ＰｘＫであるか画素ＰｘＮであるかが切り替わる。すなわち、図７に示すように、各画素Ｐｘについて、Ｐ個（２個）のフィールド期間ＬにおいてＱ回（１回）ずつプリチャージ信号ＶＰが供給される。
【００３６】
以下では、プリチャージ回路２６が、Ｐ個のフィールド期間Ｌにおいて各画素ＰｘにＱ回ずつプリチャージ信号ＶＰを供給することの意義を、対比例を用いて説明する。図８は、対比例に係る電気光学装置における、Ｂ個の画素Ｐｘへのプリチャージ信号ＶＰの供給の有無を示す図である。図８に示すように、対比例に係る電気光学装置においては、Ｐ個のフィールド期間Ｌ（例えばＬ1とＬ2）において、Ｂ個の画素Ｐｘのうちのｂ個の画素ＰｘにはＰ回ずつプリチャージ信号ＶＰが供給される一方で、残りの（Ｂ−ｂ）個の画素Ｐｘには１回もプリチャージ信号ＶＰが供給されない。換言すると、対比例に係る電気光学装置は、Ｐ個のフィールド期間Ｌにわたり画素ＰｘＫに区分される画素Ｐｘと、Ｐ個のフィールド期間にわたり画素ＰｘＮに区分される画素Ｐｘと、を含む。
【００３７】
以上のように、対比例に係る電気光学装置が備える複数の画素Ｐｘのうち、一部の画素Ｐｘにプリチャージ信号ＶＰが供給される回数は、他の画素Ｐｘにプリチャージ信号ＶＰが供給される回数よりも多い。このため、対比例では、例え同じ階調レベルを指定するデータ信号ＶＤが供給されたとしても、Ｐ個のフィールド期間ＬにおいてＰ回プリチャージ信号ＶＰが供給される画素Ｐｘと１回も供給されない画素Ｐｘとで、表示する階調レベルが異なってしまう事態が生じると考えられる。
これに対し、本実施形態によれば、Ｐ個のフィールド期間Ｌにおいて、各画素ＰｘにＱ回ずつプリチャージ信号ＶＰが供給される。すなわち、本実施形態によれば、電気光学装置１０が備える複数の画素Ｐｘの各々にプリチャージ信号ＶＰが均一に供給される。このため、本実施形態によれば、各画素Ｐｘが表示する階調レベルへの、画素Ｐｘにプリチャージ信号ＶＰを供給することによる影響が、複数の画素Ｐｘにわたり均一化される。したがって、本実施形態では、例えば同じ階調レベルを指定するデータ信号ＶＤが供給された場合に複数の画素Ｐｘが表示する階調レベルが均一となり得る。
【００３８】
なお、図６及び図７を参照して説明した以上の例では、フィールド期間Ｌｘ（例えばＬ1）が「第１フィールド期間」の一例であり、フィールド期間Ｌｙ（例えばＬ2）が「第２フィールド期間」の一例である。すなわち、フィールド期間Ｌ1において表示部３０が表示する画像が「第１の画像」の一例であり、フィールド期間Ｌ2において表示部３０が表示する画像が「第２の画像」の一例である。また、例えば、フィールド期間Ｌ1に含まれる水平走査期間Ｈ1が「第１単位期間」の一例であり、フィールド期間Ｌ1に含まれる水平走査期間Ｈ2が「第２単位期間」の一例であり、フィールド期間Ｌ2に含まれる水平走査期間Ｈ1が「第３単位期間」の一例であり、フィールド期間Ｌ2に含まれる水平走査期間Ｈ2が「第４単位期間」の一例である。また、例えば、データ線３４ｇ1が「第１データ線」の一例であり、データ線３４ｇ2が「第２データ線」の一例であり、走査線３２_1が「第１走査線」の一例であり、走査線３２_2が「第２走査線」の一例である。この場合、画素Ｐｘ11が「第１画素」の一例であり、画素Ｐｘ12が「第２画素」の一例であり、画素Ｐｘ21が「第３画素」の一例であり、画素Ｐｘ22が「第４画素」の一例である。
【００３９】
１．４．本実施形態の結論
以上に説明したように、本実施形態に係る電気光学装置１０は、一の水平走査期間Ｈにおいて、配線群ＬＦgに含まれるＲ本のデータ線３４ｇのうち、データ線３４ｇＥまたはデータ線３４ｇＯの一方にプリチャージ信号ＶＰを供給し、他方にはプリチャージ信号ＶＰを供給しない。このため、一の水平走査期間Ｈにおいて、例えばＲ本のデータ線３４ｇの各々にプリチャージ信号ＶＰを供給する場合、すなわち、プリチャージ信号ＶＰを供給するための期間が全てのデータ線３４について設けられる場合と比較して、データ信号ＶＤを画素Ｐｘに書き込む時間を長く確保することができる。したがって、本実施形態によれば、データ信号ＶＤを画素Ｐｘに書き込む時間を確保しつつ、プリチャージ信号ＶＰを供給することが可能となる。
さらに、本実施形態によれば、一の水平走査期間Ｈにおいて、配線群ＬＦgに含まれるＲ本のデータ線３４ｇのうちの一部のデータ線３４ｇについてはプリチャージ信号ＶＰが供給されないため、配線群ＬＦgに含まれるＲ本のデータ線３４ｇの全てについてプリチャージ信号ＶＰが供給される場合と比較して、プリチャージに要する消費電力が低減され得る。
【００４０】
また、本実施形態によれば、Ｐ個のフィールド期間Ｌにおいて、各画素ＰｘにＱ回ずつプリチャージ信号ＶＰが供給される。すなわち、本実施形態によれば、図８を参照して上述した対比例と比較して、Ｐ個のフィールド期間Ｌにわたり各画素Ｐｘにプリチャージ信号ＶＰが供給される回数が均一化される。すなわち、本実施形態によれば、プリチャージ信号ＶＰを供給することによる表示品質への影響が、表示部３０に設けられた複数の画素Ｐｘにわたり均一化される。したがって、本実施形態によれば、対比例と比較して、表示部３０が表示する画像の表示品質が向上され得る。
【００４１】
上述のように、本実施形態では、各フィールド期間Ｌが１／２４０秒に略等しい時間長を有する。また、本実施形態では、２個（Ｐ＝２）のフィールド期間Ｌｘ及びＬｙ、すなわち１／１２０秒に略等しい時間長において各画素Ｐｘに均一にプリチャージ信号ＶＰが供給される。このように、本実施形態によれば、各画素Ｐｘにプリチャージ信号ＶＰが供給される周期の時間長（すなわち、各画素Ｐｘにプリチャージ信号ＶＰが供給されてから次に供給されるまでの時間長）が１／６０秒未満となる。このため、このような周期の時間長が１／６０秒以上の場合と比較して、一の画素Ｐｘへのプリチャージ信号ＶＰの供給の有無により生じ得る、当該一の画素Ｐｘが表示する階調レベルの差異が、利用者により視認されにくくなる。
【００４２】
また、本実施形態によれば、各フィールド期間Ｌにおいて、画素ＰｘＫと画素ＰｘＮとが市松模様状に配置される。すなわち、各フィールド期間Ｌにおいて、画素ＰｘＫ（または画素ＰｘＮ）が空間的に分散される。このため、本実施形態によれば、プリチャージ信号ＶＰを供給することによる表示品質への影響が空間的に分散され、例えば画素ＰｘＫが連続して配置されている場合と比較して、表示部３０が表示する画像の表示品質が均一化され得る。
【００４３】
２．変形例
以上の形態は多様に変形され得る。具体的な変形の態様を以下に例示する。以下の例示から任意に選択された２以上の態様は、相互に矛盾しない範囲内で適宜に併合され得る。なお、以下に例示する変形例において作用や機能が実施形態と同等である要素については、以上の説明で参照した符号を流用して各々の詳細な説明を適宜に省略する。
【００４４】
２．１．変形例１  
図９及び図１０を参照して、本発明の変形例１に係る電気光学装置１０の動作について説明する。図９は、本変形例における、画素ＰｘＫ及び画素ＰｘＮの配置を示す図である。図１０は、変形例１に係る電気光学装置１０の動作の一例を説明するためのタイミングチャートである。
【００４５】
上述した実施形態では、各フィールド期間Ｌにおいて、V方向にて画素ＰｘＫと画素ＰｘＮとが交互に配置されるとともに、VI方向にて画素ＰｘＫと画素ＰｘＮとが交互に配置される（すなわち、画素ＰｘＫ及び画素ＰｘＮが市松模様状に配置される）場合を例示したが、本発明は以上の例示に限定されない。図９に示すように、各フィールド期間Ｌにおいて、VI方向では画素ＰｘＫと画素ＰｘＮとが交互に配置される一方で、V方向では画素ＰｘＫ（またはＰｘＮ）が連続して配置されてもよい。
なお、本変形例においても、Ｐ個のフィールド期間Ｌにおいて各画素ＰｘにＱ回ずつプリチャージ信号ＶＰが供給される点は実施形態と同様である。また、実施形態と同様に、本変形例でも、Ｐ＝２、Ｑ＝１と想定する。
【００４６】
以下、図１０を参照して本変形例に係る電気光学装置１０の動作を具体的に説明する。本変形例において、配線群ＬＦgに含まれるＲ本のデータ線３４ｇは、２つのデータ線群ＧＰ（ＧＰ１及びＧＰ２）に区分される。データ線群ＧＰ１は、１番目からＳ番目（Ｓは、１≦Ｓ＜Ｒを満たす整数）のデータ線３４ｇ1〜３４ｇSを含み、データ線群ＧＰ２は、Ｓ＋１番目からＲ番目のデータ線３４ｇ(S+1)〜３４ｇRを含む。以下ではＳ＝２の場合を例示して説明する。すなわち、データ線群ＧＰ１はデータ線３４ｇ1及び３４ｇ2を含み、データ線群ＧＰ２はデータ線３４ｇ3及び３４ｇ4を含む。
【００４７】
本変形例に係るプリチャージ回路２６は、フィールド期間Ｌｘの奇数番目の水平走査期間Ｈにおいてデータ線群ＧＰ２にプリチャージ信号ＶＰを供給し、偶数番目の水平走査期間Ｈにおいてデータ線群ＧＰ１にプリチャージ信号ＶＰを供給する。より具体的には、図１０に例示するように、フィールド期間Ｌ1の奇数番目の水平走査期間Ｈ1及びＨ3において、選択信号Ｓｐ3及びＳｐ4が選択電位Ｖspに設定され、プリチャージ回路２６はデータ線３４ｇ3及び３４ｇ4（すなわち、データ線群ＧＰ２）にプリチャージ信号ＶＰを供給する。また、フィールド期間Ｌ1の偶数番目の水平走査期間Ｈ2及びＨ4において、選択信号Ｓｐ1及びＳｐ2が選択電位Ｖspに設定され、プリチャージ回路２６はデータ線３４ｇ1及び３４ｇ2（すなわち、データ線群ＧＰ１）にプリチャージ信号ＶＰを供給する。
【００４８】
また、プリチャージ回路２６は、フィールド期間Ｌｙの奇数番目の水平走査期間Ｈにおいてデータ線群ＧＰ１にプリチャージ信号ＶＰを供給し、偶数番目の水平走査期間Ｈにおいてデータ線群ＧＰ２にプリチャージ信号ＶＰを供給する。より具体的には、図１０に例示するように、フィールド期間Ｌ2の奇数番目の水平走査期間Ｈ1及びＨ3において、選択信号Ｓｐ1及びＳｐ2が選択電位Ｖspに設定され、プリチャージ回路２６はデータ線３４ｇ1及び３４ｇ2（すなわち、データ線群ＧＰ１）にプリチャージ信号ＶＰを供給する。また、フィールド期間Ｌ2の偶数番目の水平走査期間Ｈ2及びＨ4において、選択信号Ｓｐ3及びＳｐ4が選択電位Ｖspに設定され、プリチャージ回路２６はデータ線３４ｇ3及び３４ｇ4（すなわち、データ線群ＧＰ２）にプリチャージ信号ＶＰを供給する。
【００４９】
なお、本変形例においては、フィールド期間Ｌｘ（例えばＬ1）が「第１フィールド期間」の一例であり、フィールド期間Ｌｙ（例えばＬ2）が「第２フィールド期間」の一例である。すなわち、フィールド期間Ｌ1において表示部３０が表示する画像が「第１の画像」の一例であり、フィールド期間Ｌ2において表示部３０が表示する画像が「第２の画像」の一例である。また、例えば、フィールド期間Ｌ1に含まれる水平走査期間Ｈ1が「第１単位期間」の一例であり、フィールド期間Ｌ1に含まれる水平走査期間Ｈ2が「第２単位期間」の一例であり、フィールド期間Ｌ2に含まれる水平走査期間Ｈ1が「第３単位期間」の一例であり、フィールド期間Ｌ2に含まれる水平走査期間Ｈ2が「第４単位期間」の一例である。また、例えば、データ線３４ｇ2が「第１データ線」の一例であり、データ線３４ｇ3が「第２データ線」の一例であり、走査線３２_1が「第１走査線」の一例であり、走査線３２_2が「第２走査線」の一例である。この場合、画素Ｐｘ12が「第１画素」の一例であり、画素Ｐｘ13が「第２画素」の一例であり、画素Ｐｘ22が「第３画素」の一例であり、画素Ｐｘ23が「第４画素」の一例である。
【００５０】
以上に説明した変形例１でも、実施形態と同様の効果が奏される。なお、本変形例においては、各フィールド期間Ｌにおいて、VI方向にて画素ＰｘＫと画素ＰｘＮとが交互に配置される。すなわち、各フィールド期間Ｌにおいて、画素ＰｘＫ（または画素ＰｘＮ）がVI方向にて空間的に分散される。このため、本変形例においても、プリチャージ信号ＶＰを供給することによる表示品質への影響が空間的に分散され、例えば画素ＰｘＫがV方向及びVI方向に連続して配置されている場合と比較して、表示部３０が表示する画像の表示品質が均一化され得る。
【００５１】
２．２．変形例２  
図１１及び図１２を参照して、本発明の変形例２に係る電気光学装置１０の動作について説明する。図１１は、本変形例における、画素ＰｘＫ及び画素ＰｘＮの配置を示す図である。図１２は、変形例１に係る電気光学装置１０の動作の一例を説明するためのタイミングチャートである。
なお、本変形例においても、Ｐ個のフィールド期間Ｌにおいて各画素ＰｘにＱ回ずつプリチャージ信号ＶＰが供給される点は実施形態と同様である。また、実施形態と同様に、本変形例でも、Ｐ＝２、Ｑ＝１と想定する。
【００５２】
上述した実施形態及び変形例では、V方向及びVI方向の少なくとも一方において、画素ＰｘＫ及び画素ＰｘＮが交互に配置される場合を例示した。しかし、本発明は以上の例示に限定されず、画素ＰｘＫ及び画素ＰｘＮの配置は任意に定められてよい。図１１に、本変形例の一態様における画素ＰｘＫ及び画素ＰｘＮの配置を示す。図１１に示すように、本変形例では、Ｂ＝１６、ｂ＝４の場合を想定する。すなわち、フィールド期間Ｌｘにおいて、Ｂ個（１６個）の画素Ｐｘのうちのｂ個（４個）の画素Ｐｘにプリチャージ信号ＶＰが供給され、フィールド期間Ｌｙにおいて、フィールド期間Ｌｘにおいてプリチャージされなかった（Ｂ−ｂ）個（１２個）の画素Ｐｘにプリチャージ信号ＶＰが供給される。
【００５３】
図１２を参照して本変形例に係る電気光学装置１０の動作の一例を具体的に説明する。本変形例に係るプリチャージ回路２６は、フィールド期間Ｌｘの水平走査期間Ｈmにおいて、配線群ＬＦgに含まれるＲ本のデータ線３４ｇのうちのＪ本（Ｊは、１≦Ｊ＜Ｒを満たす整数）のデータ線３４ｇにプリチャージ信号ＶＰを供給し、フィールド期間Ｌｙの水平走査期間Ｈmにおいて、フィールド期間Ｌｘの水平走査期間Ｈmにおいてプリチャージ信号ＶＰが供給されなかった残りの（Ｒ−Ｊ）本のデータ線３４ｇにプリチャージ信号ＶＰを供給する。図１１及び図１２では、Ｊ＝１の場合を例示して説明する。すなわち、図１１及び図１２に示す例において、プリチャージ回路２６は、フィールド期間Ｌｘの水平走査期間Ｈmにおいて、４本（Ｒ本）のデータ線３４ｇのうちの１本（Ｊ本）のデータ線３４ｇにプリチャージ信号ＶＰを供給し、フィールド期間Ｌｙの水平走査期間Ｈmにおいて、残りの３本（Ｒ−Ｊ本）のデータ線３４ｇにプリチャージ信号ＶＰを供給する。
【００５４】
図１１及び１２に示すように、本変形例では、一例として、フィールド期間Ｌｘにおける水平走査期間Ｈmにおいて、ｍをＲで除算した剰余（ｍ ｍｏｄ Ｒ）に対応する番号のデータ線３４ｇにプリチャージ信号ＶＰが供給される場合を説明する。なお、剰余がゼロ（「０」）である場合には、Ｒ番目のデータ線３４ｇRにプリチャージ信号ＶＰが供給されるものとする。
図１２に示す例において、プリチャージ回路２６は、フィールド期間Ｌ1の水平走査期間Ｈmにてデータ線３４ｇmにプリチャージ信号ＶＰを供給し、フィールド期間Ｌ2の水平走査期間Ｈmにてデータ線３４ｇm以外のデータ線３４ｇにプリチャージ信号ＶＰを供給する。例えば、フィールド期間Ｌ1の水平走査期間Ｈ1では、選択信号Ｓｐ1が選択電位Ｖspに設定され、プリチャージ回路２６はＳ本（１本）のデータ線３４ｇ1にプリチャージ信号ＶＰを供給する。そして、フィールド期間Ｌ2の水平走査期間Ｈ1では、選択信号Ｓｐ2〜Ｓｐ4が選択電位Ｖspに設定され、プリチャージ回路２６は（Ｒ−Ｊ）本（３本）のデータ線３４ｇ2〜３４ｇ4（すなわち、データ線３４ｇ1以外のデータ線３４ｇ）にプリチャージ信号ＶＰを供給する。
【００５５】
なお、本変形例においては、フィールド期間Ｌｘ（例えばＬ1）が「第１フィールド期間」の一例であり、フィールド期間Ｌｙ（例えばＬ2）が「第２フィールド期間」の一例である。すなわち、フィールド期間Ｌ1において表示部３０が表示する画像が「第１の画像」の一例であり、フィールド期間Ｌ2において表示部３０が表示する画像が「第２の画像」の一例である。また、例えば、フィールド期間Ｌ1に含まれる水平走査期間Ｈ1が「第１単位期間」の一例であり、フィールド期間Ｌ1に含まれる水平走査期間Ｈ2が「第２単位期間」の一例であり、フィールド期間Ｌ2に含まれる水平走査期間Ｈ1が「第３単位期間」の一例であり、フィールド期間Ｌ2に含まれる水平走査期間Ｈ2が「第４単位期間」の一例である。また、例えば、データ線３４ｇ1が「第１データ線」の一例であり、データ線３４ｇ2が「第２データ線」の一例であり、走査線３２_1が「第１走査線」の一例であり、走査線３２_2が「第２走査線」の一例である。この場合、画素Ｐｘ11が「第１画素」の一例であり、画素Ｐｘ12が「第２画素」の一例であり、画素Ｐｘ21が「第３画素」の一例であり、画素Ｐｘ22が「第４画素」の一例である。
【００５６】
以上に説明した変形例２でも、実施形態と同様の効果が奏される。
【００５７】
２．３．変形例３  
上述した実施形態及び変形例では、Ｐ＝２、Ｑ＝１の場合を例示して説明した。しかし、Ｐは、２以上の数であれば他の数でもよく、Ｑは、１≦Ｑ＜Ｐを満たすのであれば他の数でもよい。本変形例では、Ｐ＝４、Ｑ＝３の場合を例示して説明する。すなわち、本変形例において、各画素Ｐｘには、４個（Ｐ個）のフィールド期間Ｌ1〜Ｌ4において３回（Ｑ回）ずつプリチャージ信号ＶＰが供給される。以下、図１３から図１５を参照して、変形例３に係る電気光学装置１０の動作について説明する。図１３は、変形例３に係る電気光学装置１０の、Ｐ個（４個）のフィールド期間Ｌのうちの前半（すなわち、フィールド期間Ｌ1及びＬ2）における動作の一例を示すタイミングチャートであり、図１４は後半（すなわち、フィールド期間Ｌ3及びＬ4）における動作の一例を示すタイミングチャートである。
【００５８】
本変形例に係るプリチャージ回路２６は、各フィールド期間Ｌの各水平走査期間Ｈにおいて、配線群ＬＦgに含まれるＲ本のデータ線３４ｇのうちのＪ本のデータ線３４ｇにプリチャージ信号ＶＰを供給する。本変形例では、Ｊ＝３である場合を例示して説明する。本変形例において、一のフィールド期間Ｌに含まれるＭ個の水平走査期間Ｈの各々においてプリチャージ回路２６がプリチャージ信号ＶＰを供給するＪ本のデータ線３４ｇの組み合わせは、水平走査期間Ｈごとに異なる。また、本変形例において、水平走査期間Ｈmにおいてプリチャージ回路２６がプリチャージ信号ＶＰを供給するデータ線３４ｇの組み合わせは、フィールド期間Ｌごとに異なる。
図１３及び図１４では、一例として、フィールド期間Ｌp（ｐは、１≦ｐ≦Ｐを満たす整数）の水平走査期間Ｈmにおいて、データ線３４ｇ(p+m-1)または３４ｇ(p+m-1-R)以外のデータ線３４ｇにプリチャージ信号ＶＰが供給される場合を示す。
【００５９】
例えば、図１３の例に示すフィールド期間Ｌ1に着目する。この場合、水平走査期間Ｈ1においてはデータ線３４ｇ1以外のデータ線３４ｇ（３４ｇ2、３４ｇ3、及び３４ｇ4）にプリチャージ信号ＶＰが供給され、水平走査期間Ｈ2においてはデータ線３４ｇ2以外のデータ線３４ｇ（３４ｇ1、３４ｇ3、及び３４ｇ4）にプリチャージ信号ＶＰが供給され、水平走査期間Ｈ3においてはデータ線３４ｇ3以外のデータ線３４ｇ（３４ｇ1、３４ｇ2、及び３４ｇ4）にプリチャージ信号ＶＰが供給され、水平走査期間Ｈ4においてはデータ線３４ｇ4以外のデータ線３４ｇ（３４ｇ1、３４ｇ2、及び３４ｇ3）にプリチャージ信号ＶＰが供給される。
【００６０】
また、例えば、図１３及び図１４の例において、各フィールド期間Ｌの水平走査期間Ｈ1に着目する。この場合、フィールド期間Ｌ1においてはデータ線３４ｇ1以外のデータ線３４ｇ（３４ｇ2、３４ｇ3、及び３４ｇ4）にプリチャージ信号ＶＰが供給され、フィールド期間Ｌ2においてはデータ線３４ｇ2以外のデータ線３４ｇ（３４ｇ1、３４ｇ3、及び３４ｇ4）にプリチャージ信号ＶＰが供給され、フィールド期間Ｌ3においてはデータ線３４ｇ3以外のデータ線３４ｇ（３４ｇ1、３４ｇ2、及び３４ｇ4）にプリチャージ信号ＶＰが供給され、フィールド期間Ｌ4においてはデータ線３４ｇ4以外のデータ線３４ｇ（３４ｇ1、３４ｇ2、及び３４ｇ3）にプリチャージ信号ＶＰが供給される。
【００６１】
図１５は、図１３及び図１４に示すタイミングチャートにしたがって変形例３に係る電気光学装置１０が動作した場合の、画素ＰｘＫ及び画素ＰｘＮの配置を示す図である。図１５に示すように、本変形例においても、Ｐ個（４個）のフィールド期間Ｌにおいて、Ｑ回（３回）ずつプリチャージ信号ＶＰが供給される。
【００６２】
なお、本変形例においては、フィールド期間Ｌ1が「第１フィールド期間」の一例であり、フィールド期間Ｌ2が「第２フィールド期間」の一例であり、フィールド期間Ｌ4が「第３フィールド期間」の一例である。すなわち、フィールド期間Ｌ1において表示部３０が表示する画像が「第１の画像」の一例であり、フィールド期間Ｌ2において表示部３０が表示する画像が「第２の画像」の一例であり、フィールド期間Ｌ4において表示部３０が表示する画像が「第３の画像」の一例である。また、本変形例では、フィールド期間Ｌ1に含まれる水平走査期間Ｈ1が「第１単位期間」の一例であり、フィールド期間Ｌ1に含まれる水平走査期間Ｈ2が「第２単位期間」の一例であり、フィールド期間Ｌ2に含まれる水平走査期間Ｈ1が「第３単位期間」の一例であり、フィールド期間Ｌ4に含まれる水平走査期間Ｈ2が「第４単位期間」の一例である。また、データ線３４ｇ1が「第１データ線」の一例であり、データ線３４ｇ2が「第２データ線」の一例であり、走査線３２_1が「第１走査線」の一例であり、走査線３２_2が「第２走査線」の一例である。すなわち、画素Ｐｘ11が「第１画素」の一例であり、画素Ｐｘ12が「第２画素」の一例であり、画素Ｐｘ21が「第３画素」の一例であり、画素Ｐｘ22が「第４画素」の一例である。
【００６３】
以上に説明した変形例３でも、実施形態と同様に、データ信号ＶＤを画素Ｐｘに書き込む時間を確保しつつ、プリチャージ信号ＶＰを供給することが可能となる。配線群ＬＦgに含まれるＲ本のデータ線３４ｇの全てについてプリチャージ信号ＶＰが供給される場合と比較して、プリチャージに要する消費電力が低減され得る点も同様である。
また、上述のように、本変形例でも、各画素Ｐｘについて、Ｐ個（４個）のフィールド期間Ｌにおいて、Ｑ回（３回）ずつプリチャージ信号ＶＰが供給される。このため、例えば電気光学装置１０が備える複数の画素Ｐｘが、Ｐ個のフィールド期間ＬにおいてＰ回ずつプリチャージ信号ＶＰが供給される画素Ｐｘと、Ｐ個のフィールド期間Ｌにおいて１回もプリチャージ信号ＶＰが供給さない画素Ｐｘとに区分される場合と比較して、Ｐ個のフィールド期間Ｌにわたり各画素Ｐｘにプリチャージ信号ＶＰが供給される回数が均一化され、ひいては表示部３０が表示する画像の表示品質が向上され得る。
【００６４】
３．応用例
以上の各形態に例示した電気光学装置１０は、各種の電気機器に利用され得る。図１６から図１８に、電気光学装置１０を採用した電子機器の具体的な形態を例示する。
【００６５】
図１６は、電気光学装置１０を適用した可搬型のパーソナルコンピューター２０００の斜視図である。パーソナルコンピューター２０００は、各種の画像を表示する電気光学装置１０と、電源スイッチ２００１及びキーボード２００２を含むユーザーインターフェースが設けられた本体部２０１０と、を具備する。
【００６６】
図１７は、電気光学装置１０を適用した携帯電話機３０００の斜視図である。携帯電話機３０００は、各種の画像を表示する電気光学装置１０と、複数の操作ボタン３００１及びスクロールボタン３００２を含むユーザーインターフェースと、を具備する。利用者がスクロールボタン３００２を操作することによって、電気光学装置１０に表示される画面がスクロールされる。
【００６７】
図１８は、電気光学装置１０を適用した投射型表示装置（例えば、３板式のプロジェクター）４０００の模式図である。投射型表示装置４０００は、赤色、緑色、青色の３色に対応する３個の電気光学装置１０（１０Ｒ、１０Ｇ、及び１０Ｂ）を含んで構成される。照明光学系４００１は、光源４００２からの出射光のうち赤色成分ｒを電気光学装置１０Ｒに供給し、緑色成分ｇを電気光学装置１０Ｇに供給し、青色成分ｂを電気光学装置１０Ｂに供給する。各電気光学装置１０は、照明光学系４００１から供給される、対応する色成分の光を表示画像に応じて変調する光変調器として機能する。投射光学系４００３は、各電気光学装置１０からの出射光を合成して投射面４００４に投射する。
【００６８】
なお、本発明に係る電気光学装置１０が適用される電子機器は、以上の例に限定されない。電気光学装置１０は、スマートフォン、携帯情報端末（ＰＤＡ：Personal Digital Assistants）、デジタルスチルカメラ、テレビ、ビデオカメラ、カーナビゲーション装置、車載用の表示器、電子手帳、電子ペーパー、電卓、ワードプロセッサー、テレビ電話、ＰＯＳ端末、プリンター、スキャナー、複写機、ビデオプレーヤー、タッチパネルを備えた機器等の電子機器に適用されてもよい。
【００６９】
以上の説明から理解されるように、本発明は、電気光学装置１０としても、電気光学装置１０が備える制御回路（駆動回路２０）としても、電気光学装置１０または駆動回路２０を具備する電子機器としても、駆動回路２０による表示部３０の制御方法としても理解され得る。
【符号の説明】
【００７０】
１０…電気光学装置、２０…駆動回路、２２…走査線駆動回路、２４…データ信号供給回路、２６…プリチャージ回路、３０…表示部、３２…走査線、３４…データ線、５０…表示制御回路、ＣＬ…液晶素子、Ｆ…フレーム期間、Ｈ…水平走査期間、Ｌ…フィールド期間、ＭＤ…デマルチプレクサー、ＭＰ…デマルチプレクサー、Ｐｘ…画素、Ｓｄr…選択信号、Ｓｐr…選択信号、ＶＤ…データ信号、ＶＰ…プリチャージ信号、Ｙm…走査信号。
【図１】
2019078774.tif 000003
【図２】
2019078774.tif 000004
【図３】
2019078774.tif 000005
【図４】
2019078774.tif 000006
【図５】
2019078774.tif 000007
【図６】
2019078774.tif 000008
【図７】
2019078774.tif 000009
【図８】
2019078774.tif 000010
【図９】
2019078774.tif 000011
【図１０】
2019078774.tif 000012
【図１１】
2019078774.tif 000013
【図１２】
2019078774.tif 000014
【図１３】
2019078774.tif 000015
【図１４】
2019078774.tif 000016
【図１５】
2019078774.tif 000017
【図１６】
2019078774.tif 000018
【図１７】
2019078774.tif 000019
【図１８】
2019078774.tif 000020